(57)【要約】【課題】  特許公開２０１４−１８４１０３の発明では伸縮から一輪までは良かったのですが、実際に３Ｋｇ〜５Ｋｇの重さの買い物袋や重い物を運ぶ時に横にずれたりしてしまいこれでは解決出来なかったです。【解決手段】  従来の特許公開２０１４−１８４１０３にもう少し追加しなくてはならない部分がありました。まず伸縮から伸ばした時に更に買い物袋や重い物を支える物が無いとずれてしまいました。扇状に開いたり又はＶ字型に開いてクロスさせたりとりあえず買い物袋や重い物をのせる物が必要でした。そして空気タイヤやスポンジタイヤやゴムタイヤを連結させローラー状にすれば階段等ものぼりやすいと思います。（２段階〜５段階調節の様な形でも良い）買い物袋や重い物をひっかけるのに便利な様に一番下の車輪にもストッパーを付けます。【選択図】図１３
2016152903.tif 000002
【特許請求の範囲】
【請求項１】
従来の出願、特許公開２０１４−１８４１０３のＡとＢとＣとＤとＥとＦを有する伸縮一輪買い物らくらくステッキという請求項があるとして、これを引用する請求項は例えば伸縮一輪買い物らくらくステッキである。
【請求項２】
請求項１記載の伸縮一輪買い物らくらくステッキのステッキの形において一番のベースの部分、つまり伸縮する棒の部分は（危険性を無くす為）角に丸みがある三角形や丸みがある四角形や丸みがある五角形や丸みがある台形等の形である請求項１記載の装置
【請求項３】
請求項１記載の伸縮一輪買い物らくらくステッキにおいて更に伸縮から伸ばした時に重さ３Ｋｇ〜５Ｋｇ程度の買い物袋をのせられる様、鎖やゴムやひもで繋がれた扇状に開いたり十字に開いてクロスさせたりして重い買い物袋や重い荷物や重い物その他ゴルフバッグや釣り道具、更に重いゴミ袋（生ゴミや瓶や缶）をそれにのせる事が出来る仕組みが付いた請求項１又は請求項２記載の装置
【請求項４】
請求項１記載の伸縮一輪買い物らくらくステッキにおいて伸縮から伸ばした時にまず買い物袋や重い物を支える物が必要で伸ばした時に、買い物袋等の押さえが勝手に広がり支えの部分（ＶであればＶの形で少しでっぱっている感じで伸ばした時、押さえがそこに固定される形です。Ｖ字型に３つ違う高さででっぱている）で押さえが固定されればその支えに重い買い物袋や重い荷物や重い物その他ゴルフバッグや釣り道具更に重いゴミ袋（生ゴミや瓶や缶）を支える形の請求項１又は請求項２又は請求項３記載の装置
【請求項５】
請求項１記載の伸縮一輪買い物らくらくステッキにおいて伸縮から伸ばした時、一番下の部分に角度調整が可能な丸や三角形や四角形や五角形や六角形や七角形や八角形の棒の物に空気タイヤ又はスポンジタイヤが付いた物が内臓されており、とても重い買い物袋や荷物になった時、一輪から二輪にする事が出来てちょうど良い角度で合わせ（２段階〜５段階調節可能）ストッパーをきかせられる請求項１又は請求項２又は請求項３又は請求項４記載の装置
【請求項６】
請求項１記載の伸縮一輪買い物らくらくステッキにおいて伸縮から伸ばした時、一番下の部分が空気タイヤ又はスポンジタイヤ又はゴムタイヤを連結させたタイヤのローラーの様になる（クッションローラー）によって例えばアパートや団地に住んでいる方の買い物や重いゴミ捨て等が便利になる請求項１又は請求項２又は請求項３又は請求項４又は請求項５記載の装置
【請求項７】
請求項１記載の伸縮一輪買い物らくらくステッキにおいて一番下の車輪（車輪に付いているか手持ちの部分に付いているか他の場所に付いています）にストッパーが付いており買い物袋や重い荷物や重い物その他ゴルフバッグや釣り道具更に重いゴミ袋捨てる時にそれらをぶら下げる時やエレベーターの待ち時間等でストッパーで固定させ動かす時にストッパーを解除する仕組みのストッパー付きの車輪又は車輪ストッパー付き手持ちの請求項１又は請求項２又は請求項３又は請求項４又は請求項５又は請求項６記載の装置
【請求項８】
請求項１記載の伸縮一輪買い物らくらくステッキにおいて女性や男性又はお年寄り等によって長さは様々ですけど縮んだ状態で１５ｃｍ〜３０ｃｍから伸ばして３段階や５段階に伸びる請求項１又は請求項２又は請求項３又は請求項４又は請求項５又は請求項６又は請求項７記載の装置
【請求項９】
請求項１記載の伸縮一輪買い物らくらくステッキにおいで縮んだ状態で長さがどうしてもあわない場合、車輪の部分が取り付け取り外し自在であり買い物等が終った後に取り付けも可能である請求項１又は請求項２又は請求項３又は請求項４又は請求項５又は請求項６又は請求項７又は請求項８記載の装置
【発明の詳細な説明】
【技術分野】
【０００１】  本発明は特許公開２０１４−１８４１０３の伸縮一輪買い物らくらくステッキに関する。
【背景技術】
【０００２】  特許公開２０１４−１８４１０３の伸縮一輪買い物らくらくステッキついて伸縮から伸ばすところまでは良かったのだが実際３Ｋｇ〜１０Ｋｇの買い袋や重い荷物や重い物をのせると買い物袋が崩れてしまいこれでは買い物袋や重い物を実際に楽に運べない。【０００３】  そして今までの買い物カートや旅行カバン等も大きくて持ち運びに不便でした。やはり買い物は会社帰り等でもある程度の重さなら会社帰りにすましたいと思うので、会社帰りや買い物袋や重い荷物や重い物が重いと他の物が見れないといった不便さがあった。【０００４】  今の時代、消費税増税やガソリンの増税等により国民の負担は増えているので、とにかく物が売れない時代に突入してしまいました。やはり発明というものは、やはりお客様に見てもらうというのも重要だと思うし、素晴らしい発明をしても今の時代なかなか大ヒットするという商品は無いように思います。これでは国民の負担は大きくなるだけだと思いますし、やはりコツコツでもいいから１つ２つでもいいから買ってくれれば変わるかも知れないと思い考えました。
【発明の開示】
【発明が解決しようとする課題】
【０００５】  しかしながら、この伸縮一輪買い物らくらくステッキには重さを支える物が無く実際に試してみると不可能であった。実際に３Ｋｇ〜５Ｋｇの買い物袋や重い荷物や重い物その他ゴルフバッグや釣り道具、更に重いゴミ袋をのせると横にずれてしまうのです。【０００６】  本発明はこの伸縮一輪買い物らくらくステッキを本当に実用性にある物にする為（便利なのは人によって違うと思いますが）に新しい物を付けて実際に使えるか考えました。【０００７】  本発明は子供の遊び場や遊園地や旅行や海外旅行に行ったりする時等買いたいグッズやお土産とかを買う時とても不便であった。とくに海外旅行に行った時等はおもいでもたくさんあるとおもうので、国内旅行や海外旅行に行った時等は多く買い物をするという事になります。
【課題を解決する為の手段】
【０００８】  本発明は特許公開２０１４−１８４１０３の発明の伸縮一輪買い物らくらくステッキにおいて伸縮する棒の部分の形において角が丸い三角形か角が丸い四角形や角が丸い五角形又は角が丸い台形になります。三角形や四角形や五角形や台形等を使えば抑えの角度を９０度〜１８０度までの物を選べるからです。（それぞれ使い道が違うからです。）基本的には全てのかしょで危険性があるばしょは丸みを付けて危険性を減らします。
【０００９】  本発明は特許公開２０１４−１８４１０３に実際、伸縮から伸ばした時にまず買い物袋や重い物を支える物が必要で伸ばした時に、買い物袋等の押さえが勝手に広がり抑えの部分で支えが固定されればその支えに重い買い物袋や重い荷物や重い物その他ゴルフバッグや釣り道具更に重いゴミ袋（生ゴミや瓶や缶）を支える形なら良いと思います。
伸縮から伸ばした時、ほぼ自動的に押さえが広がり固定される様なかたちであります。
【００１０】  本発明は特許公開２０１４−１８４１０３に一番下の部分に内部に小型一輪を内蔵させるか又は空気タイヤ又はスポンジタイヤ又はゴムタイヤを使いローラー型の様にすれば、これで一輪から二輪に変更でき自由にストッパーが効けば会社帰りの買い物等にも便利ですしローラー型ですとアパート等の方も階段をのぼりやすくなります。一輪の車輪にもストッパー（車輪に付いているか他の部分に付いています）がありますのでストッパーで固定すれば買い物袋や重い荷物や重い物をフック等にぶら下げる時も楽になります。
【００１１】  本発明は特許公開２０１４−１８４１０３の手で持つ手すりの部分の下のかしょが手形の形でゴム製やスポンジ製になっています。これは手に負担をかけない為です。これは基本的にデパートに買い物しに行く人達は車で行くか自転車でいくかどちらかですからです。ですから車や自転車にかけられる部分があれば便利だからです。
【００１２】  本発明は特許公開２０１４−１８４１０３の後方つまり買い物袋や重い荷物や重い物の逆方向に自転車や車にかけられる逆のフック状の物をつけます。そのフックで色々なところにかけられます。そこに反射板リフレクター又はフレグランスを付けます。
夜に買い物をすると車のヘッドライトで光る様にすれば危なくないからです。
【００１３】  本発明を使用すれば子供の遊び場や遊園地や旅行や海外旅行の買い物が便利になります。特に国内旅行や海外旅行に行ったとき等にバッグやカバンの中に入れておけば便利だと思いました。旅行カバンだけでは不便なのでこれを携帯用買い物ステッキとして持っておけば便利だと思いました。そういう時にカバンやバッグに入れておけば便利だと思い考えました。
【発明の効果】
【００１４】  本発明の効果は今までよりも買い物の幅が広がる事であります。つまり普段はカバンやバッグに入れておけば良くいつでもどこでも持ち運びが便利な所です。
更に近年は日本において消費税の増税やガソリンの値上がり等があり皆、大変なところです。今消費税は８％まで上がり５０００円の買い物をすれば４００円も消費税がかかります。
更にこれから１０％に引き上げられたら出来るだけ安い店で買いたいのが現実です。
しかし、これを会社帰りにカバンやバッグに入れておけば会社帰りの人も買い物がたぶん楽になります。１つのところで買い物を済ますより、今スマートホン等の便利な物があるので連絡を取りあって、この製品はここの店が安いから会社帰りに買って来てくれとか出来れば便利ではないかと思います。会社帰りなので（３Ｋｇ〜５Ｋｇ）をらくらく運べれば十分だと思います。本当に１０００円の買い物でも無駄に出来なくなってきました。
大きいデパートや大きいところでの買い物になると駐車場等もランダムなので（自分固定の駐車場では無い。）駐車場も広くて、つまり買い物を済ましたレジの近くに車を駐車出来ればいいのですが毎回毎回同じ駐車場等に止められない事です。これを使えばマンションやアパートに住む人達も買い物が便利になると思います。階段等をのぼる時も空気タイヤやスポンジタイヤやゴムタイヤがローラー型で、ある程度の衝撃を吸収してくれるからです。実際使用する材料はアクリルやフレグランスや強化透明色付きプラスチックや金属製や木製の物、そしてチェーンやゴムやひも等です。危険性があるばしょは危険性を無くす為全てを丸みを付けたりスポンジや布等でコーティングしたりする。
もし万が一この伸縮一輪買い物らくらくステッキがある程度本当に少しずつでもいいからそこそこのヒットでもしてくれれば他の物が売れる事につながるからです。今本当に皆大変だと思います。今の時代にヒット発明等は中々あり得なくなって来たからです。
だからこそお客様にもっと楽しく買い物が出来る様にと考えました。
【発明を実施するための最良の形態】
【００１５】  本発明の最良の形態は普段はカバンやバッグに入る位コンパクトな携帯買い物カートの様な形で買い物が（３Ｋｇ〜５Ｋｇ）の重い買い物袋になった場合にカバンやバッグから取り出しコンパクトな状態から伸ばし使用します。カバンやバッグ等に入れておけばいつでもどこでも取り出せるので便利だと思います。（縮んだ状態で２０ｃｍ〜３０ｃｍが良い）【００１６】  アパート等の階段をのぼる時も空気タイヤ又はスポンジタイヤ又はゴムタイヤのローラー型が階段ものぼり易いと思います。とにかくマンションやアパートに住む人達に便利だと思います。（一輪から二輪変更バージョンもありこちらは主にマンションの方）【００１７】  ゴルフカバンや釣り道具を運ぶ為時は１８０度に開くタイプが良いと思います。【００１８】  一番適した長さは２０ｃｍ〜３０ｃｍ位で（３０ｃｍをこえてしまうとバッグやカバンに入れにくくなる為です。）それから３段階調節や４段階調節や５段階調節で自分の身長に合わせます。（だいたい４段階位がベストだと思います。）【００１９】  基本的なベースになる部分に付きましては角が丸い三角形か角が丸い四角形や角が丸い五角形又は角が丸い台形になります。三角形や四角形や五角形や台形等を使用すれば買い物袋や重い荷物や重い道具その他ゴルフバッグや釣り道具、更に重いゴミ袋（生ゴミ、ビン、カン類）を抑える時に使う抑えを角度的に９０度〜１８０度位に開く仕組みに出来るからです。例えばゴルフバッグや釣り道具を持ち運びするならば四角形型で１８０度開いた方が便利です。【００２０】  重い買い物袋や重い荷物や重い道具更に重いゴミ袋（生ゴミ、ビン、カン類）や会社帰りの買い物に使うのならば、９０度〜１５０度に開く伸縮一輪買い物らくらくステッキを使用すれば便利です。【００２１】  重さを押さえる部分が伸びたところから縮んだ時に押さえが一番上のところにしまえればしまえた方が良いです。（不可能であればしまわなくても良いです。）【００２２】  この伸縮一輪買い物らくらくステッキの手持ちの部分あたりに折りたたみ傘（取り外し可能）を付ければ雨の日の買い物も今までより楽になります。
【実施例】
【００２３】  今、日本では消費税が８％まで上がり、これから１０％にまでなろうとしています。
ここまで消費税が上がると、もう地元だけで買い物が出来なくなってきました。
もう１００００円買うと８００円も消費税がつく時代です。これからの時代、本当に安い店で買い物等を済ましたい人もたくさんいると思います。ですから会社帰りにちょっとした買い物を済ませられれば便利だと思い考えました。今はスマートホンの時代です。
会社帰りに最寄りの駅の安いお店で３Ｋｇ〜５Ｋｇ程度の買い物が出来れば便利だと思いました。本当に大きな買い物になればなるほど地元のデパートとかでは高くついてしまいます。今はわざわざ東京の上野や秋葉原まで行く人もたくさんいると思います。実際使用する材料はフレグランスやアクリルや強化透明色付きプラスチックや金属製や木製の物を組み合わせたり、そしてチェーンやゴムやひも等を合わせて作ります。
例えば会社帰りに最寄りの駅のマツモトキヨシ（別にマツモトキヨシでなくても良いです。）か何かで化粧品やシャンプー系が安いからついでに買ってこれると多分便利だと思います。そうすれば安い店でついでに買えるので多分便利だと思いました。
【産業上の利用可能性】
【図面の簡単な説明】
【００１７】
【図１】  伸縮一輪買い物らくらくステッキの上から見た図面です。
【図２】  伸縮一輪買い物らくらくステッキの下から見た図面です。
【図３】  買い物袋や重い荷物や重い物をのおさえや又は扇状のおさえを開いた状態の上からの図面です。基本的な棒の部分（ベース）は角が丸い三角形か角が丸い四角形や角が丸い五角形又は角が丸い台形になります。
【図４】  買い物袋や重い荷物や重い物をのおさえや又は扇状のおさえを開いた状態の下からの図面です。
【図５】  図の５はこの伸縮一輪買い物らくらくステッキ短くした状態の図面です。
【図６】  図の６は図の５の反対側の図面です。
【図７】  図７は伸縮一輪買い物らくらくステッキをたたんだ時の状態の右側面図の図面です。
【図８】  図８は図７の逆方向からの左側面図の図面です。
【図９】  図９は伸縮一輪買い物らくらくステッキを伸ばした時の正面図の図面です。
【図１０】  図１０は伸縮一輪買い物らくらくステッキ伸ばした時の背面図です。基本的な棒の部分（ベース）は角が丸い三角形か角が丸い四角形や角が丸い五角形又は角が丸い台形になります。
【図１１】  図１１は伸縮一輪買い物らくらくステッキ伸ばした時の右側面図です。
【図１２】  図１２は伸縮一輪買い物らくらくステッキ伸ばした時の左側面図です。
【図１３】  この図は扇形に開くのではなく他にこういう形にも出来ますという図面の正面図です。扇型かこのＶ字型の好きな方を選べます。
【図１４】  この図１４は図１３の図面の背面図になります。やはり基本の部分（軸の棒）は丸い三角形や丸い四角形や丸い五角形や丸い台形を使用します。
【図１５】  この図は扇形に開くのではなく他にこういう形にも出来ますという図面の左側面図です。扇型かこのＶ字型の好きな方を選べます。伸ばした時にＶ型のでっぱりが押さえを止める役割をします
【図１６】  この図は扇形に開くのではなく他にこういう形にも出来ますという図面の左側面図です。扇型かこのＶ字型の好きな方を選べます。でっぱりには左右合わせて上に６個下に６個ありでっぱりの高さがだんだん高くなっていくので、ストッパーの役目をします。
【図１７】  図１７は伸縮一輪買い物らくらくステッキを伸ばした状態の重さを支える物を開いた図面です。先の部分にチェーン又はゴム又はひも等を付けて繋ぎます。角度的には買い物に使用するか荷物等にもよる為（ゴルフバッグや釣り道具等）（生ゴミや瓶や缶の入った重いゴミ袋）９０度〜１８０度で開く仕組みです。
【図１８】  図１８は図１７の逆方向の図面です。チェーンやゴムやひもで結んで固定させます。
【図１９】  伸縮一輪買い物らくらくステッキをアパートや団地に住む方達に買い物袋をぶら下げて階段をのぼりやすくする為、空気タイヤやスポンジタイヤやゴムタイヤ等を連結させローラーの様な役割で階段をのぼりやすくします。
【図２０】  上の図と同じですが背面図では無くて右側面図です。
【図２１】  これも基本的に階段をのぼりやすくする為、クッション性のタイヤをローラーの様な役割に使いローラーを上手く使い斜めに階段をのぼるイメージです
【図２２】  伸縮一輪買い物らくらくステッキを伸ばした状態の更に重い買い物袋や重い荷物や重い物をのせる扇状の物を開いた背面図です。
【図２３】  この伸縮一輪買い物らくらくステッキを実際にどのように使うかの参考図です。普段はバッグやカバン等に入れておき、買い物等が済んだ後、大変そうな時に取り出して長くして使用します。
【図２４】  階段をどの様にのぼるのかの、これも図２３と同じく参考図であります
【符号の説明】
【００１８】１  このボタンを押すと伸びたりちじんだりします。基本的に折りたたみ傘等と同じ様な仕組みです。（長さを調節します。）基本的に２０センチ〜３０センチの３段階調節や５段階調節になります。（男性や女性で使う長さも違う為と背の高さで不便な高さになってしまうからです。３０ｃｍ位まででないとカバンやバッグ入らないからです。）
２  空気タイヤ又はスポンジタイヤ又はゴムタイヤを表します。（取り外し可能です。）
３  買い物袋や重い荷物などをさげる時等車輪が動かない様に固定するストッパーです。  ここを足で踏んだり上げたりすると重い買い物袋や重い荷物や重い物その他ゴルフバッグや釣り道具をフック等にかける為にロックをかけたり解除できます。
４  重い買い物袋や重い荷物や重い物その他ゴルフバッグや釣り道具をぶら下げるフックです。
５  ここが重い買い物袋や重い荷物や重い物その他ゴルフバッグや釣り道具をぶら下げる時の押さえの部分をこの角度で例えば上の段から厚さ２ミリまん中が厚さ４ミリ一番下が厚さ６ミリ等にすれば押さえの部分がここにひっかかり固定されます。
６  重い買い物袋や重い荷物や重い物その他ゴルフバッグや釣り道具をぶら下げる時の押さえの部分です。ここの上にのっける様なかたちです。
７  これは☆型のフックで出来ておりゴムやひもやチェーンをかけられるフックです又リフレクターやフレグランス等にすると夜でも光り危険防止になります。
８  ここの持ち手の部分の下は手形の形あるいはスポンジやクッションを使用します。
９  これは空気タイヤ又はスポンジタイヤ又はゴムタイヤを連結させてローラーの様な役割を果たしアパートや団地に住んでいる方の階段の上り下りを楽にさせる為です。一番下のタイヤの泥よけは出来れば短くします。
１０  長さ調節です。（四角が５個書いてあるばしょは５個でなくとも良いです。
例えば３ｃｍ位で１個ずつあいていれば、このばしょだけは３ｃｍ間隔で長さ調節可能になります。（７個でも良いし数は関係ありません。）
１１  このばしょからも車輪を固定する事が出来ます。（自転車のブレーキみたいな感じです）重い買い物袋や重い荷物や重い物その他ゴルフバッグや釣り道具をかけたりチェーンやゴムやひもを使って重い買い物袋や重い荷物や重い物その他ゴルフバッグや釣り道具等の揺れを防ぎます。
１２  チェーンやゴムやひもです。重い買い物袋や重い荷物や重い物その他ゴルフバッグや釣り道具の揺れを防ぐ為の物です。
チェーンやゴムやひもで結んで動かないように固定します。
の部分の開いた穴でチェーンやゴムやひもで連結させて重い買い物袋や重い荷物や重い物その他ゴルフバッグや釣り道具を支える扇等を固定させます。
【図１】
2016152903.tif 000003
【図２】
2016152903.tif 000004
【図３】
2016152903.tif 000005
【図４】
2016152903.tif 000006
【図５】
2016152903.tif 000007
【図６】
2016152903.tif 000008
【図７】
2016152903.tif 000009
【図８】
2016152903.tif 000010
【図９】
2016152903.tif 000011
【図１０】
2016152903.tif 000012
【図１１】
2016152903.tif 000013
【図１２】
2016152903.tif 000014
【図１３】
2016152903.tif 000015
【図１４】
2016152903.tif 000016
【図１５】
2016152903.tif 000017
【図１６】
2016152903.tif 000018
【図１７】
2016152903.tif 000019
【図１８】
2016152903.tif 000020
【図１９】
2016152903.tif 000021
【図２０】
2016152903.tif 000022
【図２１】
2016152903.tif 000023
【図２２】
2016152903.tif 000024
【図２３】
2016152903.tif 000025
【図２４】
2016152903.tif 000026